(57)【特許請求の範囲】
【請求項１】
筆記体先端部を挿入する開口部を有する略筒状のキャップの先端に通気口を形成し、該キャップ内に上記筆記体先端部が嵌合する移動可能なインナーキャップを上記開口部側に向かって付勢して設けた筆記具のキャップにおいて、上記インナーキャップと上記通気口間に上記通気口に連通する流路を有する有弾性のシール部材を設け、上記インナーキャップに筆記体先端部を嵌合して該インナーキャップを内方に移動させたとき該インナーキャップの内方端が上記シール部材に当接して上記流路を閉塞すると共に上記筆記体先端部のチップ先端が上記シール部材に当接してシールされることを特徴とする筆記具のキャップ。
【請求項２】
上記インナーキャップの内方端には上記チップ先端が突出する貫通孔を有する内接筒が形成されている請求項１に記載の筆記具のキャップ。
【請求項３】
上記シール部材は、チップ先端が当接する当接部を上記インナーキャップ側に有する筒状体に形成され、該筒状体の外周に上記流路が形成されている請求項１に記載の筆記具のキャップ。
【請求項４】
上記シール部材は、貫通孔から突出したチップ先端が当接する弧状の当接部を上記インナーキャップ側に有する筒状体に形成され、該筒状体の外周には上記流路が形成され、該当接部の周囲にはインナーキャップの内接筒が当接する外周突縁が形成されている請求項２に記載の筆記具のキャップ。
【請求項５】
上記インナーキャップは上記貫通孔に向かって略円錐状に内径が縮径する中間部を有し、上記筆記体先端部は該中間部の近傍で該インナーキャップに内接している請求項２に記載の筆記具のキャップ。
【請求項６】
上記キャップは上記通気孔を有するキャップ先端部と該キャップ先端部が嵌着するキャップ本体を具備し、上記キャップ先端の内方に支持筒を突出し、該支持筒と上記キャップ本体の内面に形成した内段部間で上記シール部材を挟着した請求項１に記載の筆記具のキャップ。
【発明の詳細な説明】
【技術分野】
【０００１】
本発明は、水性ボールペン、マーカーその他揮発性筆記材料を使用する筆記具のキャップに関するものである。
【背景技術】
【０００２】
水性ボールペン等のようにインクの筆記成分が蒸発や揮発等し易い筆記具のキャップはキャップを装着することにより筆記体先端部を気密にシールするよう構成されている。シール構造としてキャップ内にインナーキャップを設けたものでは、キャップを装着したとき筆記体先端部が該インナーキャップに嵌着して該筆記体先端部を包囲するようになっている。ところが、このタイプのキャップの場合、インナーキャップ内に空気が圧縮状態で封入され、この空気が気温や気圧の変化により膨張してインクが流出する可能性がある。そのため、装着時にインナーキャップ内の空気を排出できるよう先端に通気口を設けたキャップも提案されている(例えば、特許文献１参照)。しかし、特許文献１に記載のキャップは筆記体先端部を装着したとき該筆記体先端部のチップ先端の周囲にはまだかなりの空間が形成されており、インクが流出するおそれがあった。また、チップ先端をゴム等の軟質部に当接させてシールするようにしたキャップも知られているが、該チップ先端の周囲に空間があるので、流出の可能性を確実に防止することはむずかしい。
【特許文献１】特公平４−７７６７６号公報(３欄３行〜４欄１７行、第１図)
【発明の開示】
【発明が解決しようとする課題】
【０００３】
本発明の解決課題は、水性ボールペン等のようにインクが揮発等し易い筆記具のキャップにおいて、キャップ装着時に筆記体先端部の周囲の空間をできるだけ少なくしてインクの流出を防止できるようにした筆記具のキャップを提供することである。
【課題を解決するための手段】
【０００４】
本発明によれば、筆記体先端部を挿入する開口部を有する略筒状のキャップの先端に通気口を形成し、該キャップ内に上記筆記体先端部が嵌合する移動可能なインナーキャップを上記開口部側に向かって付勢して設けた筆記具のキャップにおいて、上記インナーキャップと上記通気口間に上記通気口に連通する流路を有する有弾性のシール部材を設け、上記インナーキャップに筆記体先端部を嵌合して該インナーキャップを内方に移動させたとき該インナーキャップの内方端が上記シール部材に当接して上記流路を閉塞すると共に上記筆記体先端部のチップ先端が上記シール部材に当接してシールされることを特徴とする筆記具のキャップが提供され、上記課題が解決される。
【発明の効果】
【０００５】
本発明は上記のように構成され、先端に通気口を形成したキャップ内にインナーキャップを設け、該インナーキャップと上記通気口間に上記通気口に通じる流路を有する有弾性のシール部材を設け、上記インナーキャップに筆記体先端部を嵌合して該インナーキャップを内方に移動させたとき該インナーキャップの内方端が上記シール部材に当接して上記流路を閉塞すると共に上記筆記体先端部のチップ先端が上記シール部材に当接してシールされるようにしたので、インナーキャップ内の空気をシール部材の流路およびキャップ先端の通気口を通して排出した後、該流路を塞ぐとほぼ同時にチップ先端がシール部材に当接して筆記体先端部の周囲にほとんど空気が密封されないようにでき、従来の筆記具に比べてインクが流出しないようにできる。また、上記シール部材を、インナーキャップ側にチップ先端が当接する弧状の当接部を有する筒状体に形成し、該当接部の周囲にインナーキャップの先端に形成した内接筒が当接する外周突縁を設けると、該シール部材は耐久性に優れ、壊れにくくできる。
【発明を実施するための最良の形態】
【０００６】
図１は筆記具として、本発明を水性ボールペンに適用した一実施例を示し、図において、筆記体本体１内にはインクを収納したインク筒２と、該インク筒２の先端から突出するチップ３が設けられ、該本体の後端に取り付けた尾栓４とインク筒２の後端間には尾栓スプリング５が設けられている。なお、筆記体本体１はマーカーその他筆記具の種類に応じて種々に構成することができる。
【０００７】
上記筆記体本体１の筆記体先端部６には略筒状のキャップ７が嵌着される。該キャップ７は一体的な筒状体に形成することもできるが、図に示す実施例では、キャップ本体８と該キャップ本体８の先筒部９に嵌着固定されるキャップ先端部１０を有し、該キャップ先端部１０の先端には、通気口１１が設けられ、内方には軸方向に延びる支持筒１２が突設されている。
【０００８】
上記キャップ本体８は上記先筒部９の反対側に、筆記体先端部６を挿入する開口部１３が形成され、内部にインナーキャップ１４が挿入されている。該インナーキャップ１４は、ばね１５により上記開口部１３方向に付勢され、内面に形成したストッパー突起１６に当たる位置まで図において右行可能であり、上記筆記体先端部６によって左行されるよう軸方向に移動可能に設けられている。また、該インナーキャップ１４の一端には上記ばね１５が当たるフランジ１７が形成され、内方端には貫通孔１８を有し上記先筒部９に内接する内接筒１９があり、中間部２０は上記貫通孔１８に向かって内径が略円錐状に縮径し、上記内接筒１９の貫通孔１８からは上記筆記体先端部６チップ先端２１が突出可能である。なお、上記先筒部９の内面には上記インナーキャップ１４の図において左行を制限するよう内段部２２が形成されている。
【０００９】
上記インナーキャップ１４と通気口１１の間にはシール部材２３が設けられている。図３を参照し、該シール部材２３は、合成ゴム、軟質プラスチックその他適宜の有弾性材料で作られ、上記通気口１１に連通する流路２４を有し、上記インナーキャップ側に上記筆記体先端部６のチップ先端２１が当接する当接部２５を具備する略筒状体に形成されている。上記流路２４は筒状体の大径部２６に形成され、該シール部材２３は該大径部２６を上記支持筒１２とキャップ本体８の先筒部９の内段部２２間で挟着することによりキャップ７内に固定されている。
【００１０】
上記シール部材２３の当接部２５は弧状に形成され、該弧面のほぼ頂点に上記貫通孔１８から突出したチップ先端２１が当接するようにしてあり、該当接部２５の周囲には上記インナーキャップ１４の内接筒１９の板状部２７が当接する外周突縁２８が設けられている。なお、図に示す実施例ではシール部材２３は中空に形成してあるが、中実に形成してもよい。
【００１１】
上記構成により筆記体本体１にキャップ７を装着すると、図４に示すようにキャップ内の空気をインナーキャップ１４の貫通孔１８、シール部材２３の流路２４を通してキャップ先端部１０の通気口１１から排出しながら、図５に示すようにインナーキャップ１４に筆記体先端部６が嵌合し、該インナーキャップ１４は内方に移動する。このとき、筆記体先端部６はインナーキャップ１４に設けた中間部２０の近傍で該インナーキャップ１４に係合しており、筆記体先端部６のチップ先端２１は該貫通孔１８から突出する。
【００１２】
上記キャップ内に形成した係止部２９と筆記体本体１の係止部３０が係合すると、上記チップ先端２１がシール部材２３の当接部２５に当たると共にインナーキャップ１４の内接筒１９の板状部２７が外周突縁２８に当たり、上記流路２４が閉塞され、上記チップ先端２１はほぼ完全にシールされる。このようにして、筆記体先端部６の周囲を取り囲む空間を非常に少なくできるから、空間部に封入される空気量を極小にすることができ、空気の変動によるインクの漏れをほとんど生じないようにできる。
【図面の簡単な説明】
【００１３】
【図１】本発明に一実施例を示す断面図。
【図２】キャップを外した状態の断面図。
【図３】インナーキャップの一部とシール部材の一部切り欠き斜視図。
【図４】キャップを装着し始めた状態の説明図。
【図５】図４に示す状態よりさらにキャップを移動させた状態の説明図。
【図６】完全にキャップを装着した状態の説明図。
【符号の説明】
【００１４】
１  筆記体本体
６  筆記体先端部
１１  通気口
１３  開口部
１４  インナーキャップ
１８  通気孔
１９  内接筒
２１  チップ先端
２３  シール部材
２４  流路
２５  当接部
２８  外周突縁
【図１】
0004981555.tif 000002
【図２】
0004981555.tif 000003
【図３】
0004981555.tif 000004
【図４】
0004981555.tif 000005
【図５】
0004981555.tif 000006
【図６】
0004981555.tif 000007